(57)【要約】【課題】異なる装置間で共用可能な固定具を提供して製作コストを低減すると共に、固定具の共用のために生じる設計上の制約を軽減して固定具の共用を容易にすること。【解決手段】第１容器と第２容器を筐体に選択的に固定するための固定具において、前記第１，第２容器は複数の係合突部を夫々備え、前記固定具は、前記複数の係合突部を夫々挿入可能な複数の挿入孔と複数の挿入孔に夫々連なる複数の係合孔を有し、前記筐体に対して前記固定具を第１姿勢に固定した状態で第１容器を固定具に固定可能にすると共に前記固定具を前記第１姿勢と異なる第２姿勢に固定した状態で第２容器を固定具に固定可能に構成する。【選択図】図５
2018031493.tif 000002
【特許請求の範囲】
【請求項１】
第１容器と第２容器を筐体に選択的に固定するための固定具において、
前記第１，第２容器は複数の係合突部を夫々備え、
前記固定具は、前記複数の係合突部を夫々挿入可能な複数の挿入孔と複数の挿入孔に夫々連なる複数の係合孔を有し、
前記筐体に対して前記固定具を第１姿勢に固定した状態で第１容器を固定具に固定可能とされると共に前記固定具を前記第１姿勢と異なる第２姿勢に固定した状態で第２容器を固定具に固定可能とされたことを特徴とする固定具。
【請求項２】
前記第２姿勢は前記第１姿勢の上下を反転した姿勢であり、
少なくとも１つの前記挿入孔は、その挿入孔の上方へ連なる前記係合孔と下方へ連なる前記係合孔とを有する共用孔に形成されたことを特徴とする請求項１に記載の固定具。
【請求項３】
前記固定具には、前記第１姿勢のとき前記第１容器の複数の係合突部を挿入可能な前記共用孔を含む複数の挿入孔及び係合孔が形成されると共に、前記第２姿勢のとき前記第２容器の複数の係合突部を挿入可能な前記共用孔を含む複数の挿入孔及び係合孔が形成され、
前記係合突部が挿入されない挿入孔は前記筐体に形成した膨出部により前記係合突部が挿入不能に規制可能であることを特徴とする請求項１または２に記載の固定具。
【請求項４】
前記固定具は、略平板状部材の少なくとも一端部に前記筐体側に折り曲げられた折曲部を形成した部材で構成されたことを特徴とする請求項１〜３のいずれか１項に記載の固定具。
【請求項５】
前記筐体は潜熱回収型給湯装置の外装ケースであり、前記第１，第２容器はいずれも中和剤を収容した中和器であることを特徴とする請求項１〜４のいずれか１項に記載の固定具。
【発明の詳細な説明】
【技術分野】
【０００１】
本発明は、給湯装置内に配設される内蔵容器を給湯装置の筐体に固定するための固定具に関する。
【背景技術】
【０００２】
従来から、燃焼ガスとの熱交換により湯水を加熱して給湯する給湯装置が広く使用されている。また、近年は燃焼ガスの潜熱を回収して湯水を加熱することができるため、エネルギー効率が高い潜熱回収型給湯装置も広く利用されている。潜熱回収型給湯装置は、燃焼ガスの顕熱を回収して湯水を加熱する１次熱交換機と、顕熱を回収した後の燃焼ガスの潜熱を回収して湯水を加熱する２次熱交換器を備えている。
【０００３】
２次熱交換器において、燃焼ガスは低温の上水との熱交換により露点以下に降温する。そのため、燃焼ガスに含まれている水分が、燃焼ガスに含まれている硫黄酸化物や窒素酸化物等を取り込んで凝縮したドレンになる。ドレンは酸性であるためそのまま排水せず、中和剤を収容した中和器に集められ中和されて外部に排水される。
【０００４】
このような中和器は潜熱回収型給湯装置内に固定具により固定されている。例えば特許文献１では、中和器の上部及び底部を支持する上下１対の固定具によって給湯装置内に固定されている。また、特許文献２では、中和器の底部に設けられた突起部を中和器載置板の貫通孔に挿通させた状態で固定具により給湯装置の底面に中和器が固定されている。
【先行技術文献】
【特許文献】
【０００５】
【特許文献１】特許第５９２４５２０号公報
【特許文献２】特開２０１４−６５０１６号公報
【発明の概要】
【発明が解決しようとする課題】
【０００６】
このような潜熱回収型給湯装置は、機種が異なると内部機器の配置が異なり、使用される中和器も異なるので、特許文献１，２の固定具では機種ごとに専用の固定具で中和器を固定することになる。しかし、機種ごとに用意される専用の固定具は、生産数が少ない機種では生産数が多い機種より固定具の製作コストが割高になり、好ましくない。また、異なる機種間で固定具を共用しようとすると、採用可能な中和器やその中和器の配置が共用する固定具の制約を受け、潜熱回収型給湯装置の設計が難しくなる。
【０００７】
本発明の目的は、異なる装置間で共用可能な固定具を提供して製作コストを低減すると共に、固定具の共用のために生じる設計上の制約を軽減して固定具の共用を容易にすることである。
【課題を解決するための手段】
【０００８】
第１の発明は、第１容器と第２容器を筐体に選択的に固定するための固定具において、  前記第１，第２容器は複数の係合突部を夫々備え、前記固定具は、前記複数の係合突部を夫々挿入可能な複数の挿入孔と複数の挿入孔に夫々連なる複数の係合孔を有し、前記筐体に対して前記固定具を第１姿勢に固定した状態で第１容器を固定具に固定可能とされると共に前記固定具を前記第１姿勢と異なる第２姿勢に固定した状態で第２容器を固定具に固定可能とされたことを特徴としている。
【０００９】
上記構成によれば、固定具の姿勢を変えて装置の筐体に固定することができ、固定具の姿勢によって固定可能な容器が異なるので、異なる装置間での固定具の共用が容易である。
【００１０】
第２の発明は、第１の発明において、前記第２姿勢は前記第１姿勢の上下を反転した姿勢であり、少なくとも１つの前記挿入孔は、その挿入孔の上方へ連なる前記係合孔と下方へ連なる前記係合孔とを有する共用孔に形成されたことを特徴としている。
【００１１】
上記構成によれば、固定具の第１姿勢とこの第１姿勢の上下を反転した第２姿勢とで異なる容器を固定可能なので、固定具の共用が可能である。また、固定具の少なくとも１つの挿入孔は固定具の姿勢によらず係合突部が挿入される共用孔なので、固定具に設けられる挿入孔の数を少なくして固定具を小型化することができる。固定具が小型になるので固定具の配置の制約が軽減され、異なる装置間で固定具の共用が容易になる。
【００１２】
第３の発明は、第１または第２の発明において、前記固定具には、前記第１姿勢のとき前記第１容器の複数の係合突部を挿入可能な前記共用孔を含む複数の挿入孔及び係合孔が形成されると共に、前記第２姿勢のとき前記第２容器の複数の係合突部を挿入可能な前記共用孔を含む複数の挿入孔及び係合孔が形成され、前記係合突部が挿入されない挿入孔は前記筐体に形成した膨出部により前記係合突部が挿入不能に規制可能であることを特徴としている。
【００１３】
上記構成によれば、容器の固定に関与しない固定具の挿入孔に係合突部が挿入されないように規制可能であるため、係合突部の挿入位置の誤り、即ち容器の固定位置の誤りを防ぐことができる。従って、固定具の共用による不具合が発生しないので、固定具の共用に有利である。
【００１４】
第４の発明は、第１〜第３の発明において、前記固定具は、略平板状部材の少なくとも一端部に前記筐体側に折り曲げられた折曲部を形成した部材で構成されたことを特徴としている。
【００１５】
上記構成によれば、固定具の抗折力が向上するため固定具を小型化可能であると共に、筐体と固定具の間が折曲部により離隔されるので、異なる装置の筐体に固定具を固定しても係合突部の収容スペースを確実に確保することができるので、固定具の共用を容易にすることができる。
【００１６】
第５の発明は、第１〜第４の発明において、前記筐体は潜熱回収型給湯装置の外装ケースであり、前記第１，第２容器はいずれも中和剤を収容した中和器であることを特徴としている。
【００１７】
上記構成によれば、潜熱回収型給湯装置に内蔵される中和器の固定具を、設計が異なる他の潜熱回収型給湯装置の中和器の固定具として共用できる。
【発明の効果】
【００１８】
本発明によれば、設計が異なる装置間で共用可能な固定具を提供して製作コストを低減できると共に、固定具の共用のために生じる設計上の制約を軽減して固定具の共用を容易にすることができる。
【図面の簡単な説明】
【００１９】
【図１】本発明の固定具により固定された第１中和器を備えた第１の給湯装置の正面図である。
【図２】第１中和器を後方左斜め上から見た斜視図である。
【図３】本発明の固定具により固定された第２中和器を備えた第２の給湯装置の正面図である。
【図４】第２中和器を後方左斜め上から見た斜視図である。
【図５】固定具の正面図である。
【図６】図５の固定具の左側面図である。
【図７】第１の給湯装置の筐体に第１姿勢に固定された固定具の正面図である。
【図８】図７のVIII−VIII線断面図である。
【図９】第２の給湯装置の筐体に第２姿勢に固定された固定具の正面図である。
【発明を実施するための形態】
【００２０】
以下、本発明を実施するための形態について実施例に基づいて説明する。
【実施例】
【００２１】
最初に、第１の給湯装置１の全体構成について、図１に基づいて説明する。
第１の給湯装置１は、燃焼部２と、１次熱交換器３と、２次熱交換器４と、第１中和器５と、制御部６等を備えた潜熱回収型給湯装置である。燃焼部２は燃焼用の空気を送り込む送風機７と、図示しないが燃料ガスを燃焼させるバーナ等を備えている。燃焼部２の上に１次熱交換器３が連結され、１次熱交換器３の上に２次熱交換器４が連結され、送風機７からバーナと１次，２次熱交換器３，４を順に通って排気口８に至る燃焼ガスの通路が形成されている。
【００２２】
１次熱交換器３は、バーナで発生した燃焼ガスの顕熱を回収して湯水を加熱する。２次熱交換器４は、１次熱交換器３を通過した燃焼ガスの潜熱を回収して湯水を加熱する。１次熱交換器３と２次熱交換器４は、２次熱交換器４で加熱された上水が１次熱交換器３でさらに加熱されるように湯水の通路が接続されている。２次熱交換器４を通過した燃焼ガスは、第１の給湯装置１の前面側に設けられた排気口８から外部に排気される。
【００２３】
２次熱交換器４で発生したドレンは、ドレン管９を通って第１中和器５に導入され、第１中和器５の内部に収容された中和剤により中和された後、排水管１０を通って外部に排出される。また、図示を省略するが第１の給湯装置１は、バーナに燃料ガスを供給する燃料通路と、熱交換器に上水を供給する給水通路と、加熱された湯水を給湯する給湯通路と、燃焼ガスと風呂の湯水を熱交換させる風呂の追い焚き用の通路等を備えている。これも図示を省略するが、第１の給湯装置１には各部温度を検知する温度センサ等が設けられ、制御部６は、温度センサ等の検知信号に基づいて燃焼部２の火力等を調節して給湯運転等を制御する。
【００２４】
次に、第１中和器５について説明する。
図２に示すように、第１中和器５は、内部に中和剤を収容した第１容器１１であり、その第１容器１１の天面部にドレン管９と接続される導入口１２を備え、第１容器１１の底部に排水管１０と接続される排水口１３を備えている。
【００２５】
第１容器１１の後側面部には、この第１容器１１を第１の給湯装置１の筐体２０に固定するために、例えば３つの係合突部１４〜１６が設けられている。係合突部１４〜１６は略同じ大きさで鉛直方向に等間隔に１列に形成され、第１容器１１の後側面部から水平方向に突設された平板状の基部１４ａ〜１６ａと、平面視にて基部１４ａ〜１６ａの２倍以上の幅に設けられた先端部１４ｂ〜１６ｂを有する。先端部１４ｂ〜１６ｂの先端側は、側面視矩形状に且つ平面視略半円形状に形成されている。尚、先端部１４ｂ〜１６ｂの先端側は、矩形状に形成されていてもよく、先端側ほど幅が狭まるように形成されていてもよい。
【００２６】
次に、第１の給湯装置１と機種が異なる第２の給湯装置１０１について説明する。第２の給湯装置１０１は内蔵される機器やそれらの配置等は異なるが、給湯や追い焚き等の機能は共通している。
【００２７】
図３に示すように、第２の給湯装置１０１は、燃焼部１０２と、１次熱交換器１０３と、２次熱交換器１０４と、第２中和器１０５と、制御部１０６等を備えた潜熱回収型給湯装置である。燃焼部１０２は燃焼用の空気を送り込む送風機１０７と、図示しないが燃料ガスを燃焼させるバーナ等を備えている。燃焼部１０２の上に１次熱交換器１０３が連結され、１次熱交換器１０３の上に２次熱交換器１０４が連結され、送風機１０７からバーナと１次，２次熱交換器１０３，１０４を順に通って排気口１０８に至る燃焼ガスの通路が形成されている。
【００２８】
１次熱交換器１０３は、バーナで発生した燃焼ガスの顕熱を回収して湯水を加熱する。２次熱交換器１０４は、１次熱交換器１０３を通過した燃焼ガスの潜熱を回収して湯水を加熱する。１次熱交換器１０３と２次熱交換器１０４は、２次熱交換器１０４で加熱された上水が１次熱交換器１０３でさらに加熱されるように湯水の通路が接続されている。２次熱交換器１０４を通過した燃焼ガスは、第２の給湯装置１０１の前面側に設けられた排気口１０８から外部に排気される。
【００２９】
２次熱交換器１０４で発生したドレンは、ドレン管１０９を通って第２中和器１０５に導入され、第２中和器１０５の内部に収容された中和剤により中和された後、排水管１１０を通って外部に排水される。
【００３０】
次に第２中和器１０５について説明する。
図４に示すように、第２中和器１０５は第１中和器５と異なる形状を有し、内部に中和剤を収容する第２容器１１１である。第２容器１１１の上部にドレン管１０９が接続される導入口１１２と、第２容器１１１の前面側底部に排水管１１０と接続される排水口１１３とを備えている。さらに、第２容器１１１の上部には開閉可能な２つの中和剤補充口１１４ａ，１１４ｂが設けられ、第２容器１１１の底部には水抜き栓１１５が設けられている。
【００３１】
第２容器１１１の後側面部には、この第２容器１１１を第２の給湯装置１０１の筐体１２０に固定するために、例えば３つの係合突部１１６〜１１８が設けられている。係合突部１１６〜１１８は略同じ大きさで鉛直方向に等間隔で１列に形成され、第２容器１１１の後側面部から水平方向に突設された平板状の基部１１６ａ〜１１８ａと、平面視にて基部１１６ａ〜１１８ａの２倍以上の幅に設けられた先端部１１６ｂ〜１１８ｂを有する。先端部１１６ｂ〜１１８ｂの先端側は、平面視略半円形状に且つ側面視形成略半円形状に形成されている。尚、先端部１１６ｂ〜１１８ｂの先端側は、矩形状に形成されていてもよく、先端側ほど幅が狭まるように形成されていてもよい。
【００３２】
次に、第１容器１１を第１の給湯装置１の外装ケースである筐体２０に固定可能であると共に、第２容器１１１を第２の給湯装置１０１の外装ケースである筐体１２０に固定可能な固定具２１について説明する。
【００３３】
図５，図６に示すように、固定具２１は略コ字状の平板状の部材で形成され、その長手方向に沿って対向して延びる端部が略直角に折り曲げられた折曲部２２ａ，２２ｂを有している。この折曲部２２ａ，２２ｂにより固定具２１の抗折力が向上している。
【００３４】
固定具２１には筐体２０，１２０に固定するための複数の連結孔２１ａ〜２１ｃが設けられ、ビス等により固定可能である。固定具２１を筐体２０，１２０に固定する位置決めを容易にするために、連結孔２１ａの周囲に連結孔２１ａと同心円状に凹凸部を設けてもよい。尚、固定具２１の折曲部２２ａ，２２ｂが設けられていない端部には、固定する容器の位置を案内するガイド部２３が折曲部２２ａ，２２ｂと逆側に折り曲げられて設けられているが、ガイド部２３は省略可能である。
【００３５】
固定具２１には、第１容器１１を固定するために、第１容器１１の複数の係合突部１４〜１６を夫々挿入可能な複数の挿入孔２４ａ〜２６ａと、挿入孔２４ａ〜２６ａに対して同じ側（例えば下側）に挿入孔２４ａ〜２６ａに夫々連なる係合孔２４ｂ〜２６ｂが設けられている。係合孔２４ｂ〜２６ｂは、係合突部１４〜１６の基部１４ａ〜１６ａを挿通可能且つ先端部１４ｂ〜１６ｂを挿通不能な幅で形成されている。
【００３６】
固定具２１には、さらに第２容器１１１を固定するために、第２容器１１１の複数の係合突部１１６〜１１８を夫々挿入可能な複数の挿入孔２６ａ〜２８ａと、挿入孔２６ａ〜２８ａに対して同じ側（例えば上側）に挿入孔２６ａ〜２８ａに夫々連なる係合孔２６ｃ〜２８ｃが設けられている。係合孔２６ｃ〜２８ｃは、係合突部１１６〜１１８の基部１１６ａ〜１１８ａを挿通可能且つ先端部１１６ｂ〜１１８ｂを挿通不能な幅で形成されている。
【００３７】
固定具２１に設けられた挿入孔２４ａ〜２８ａのうちの少なくとも１つ、例えば挿入孔２６ａは、第１容器１１の係合突部１６及び第２容器１１１の係合突部１１６を挿入可能な共用孔２６ａになっている。共用孔２６ａに連なる２つの係合孔２６ｂ，係合孔２６ｃは共用孔２６ａに対して互いに反対側、例えば上方及び下方に設けられている。
【００３８】
次に、本発明の固定具２１の作用、効果について説明する。
第１容器１１を筐体２０に固定する際には、図７に示すように固定具２１を筐体２０に連結孔２１ａ，２１ｂを挿通させるビス２９ａ，２９ｂにより第１姿勢に固定する。第１容器１１の係合突部１４〜１６と夫々係合する係合孔２４ｂ〜２６ｂは、夫々挿入孔２４ａ〜２６ａの下方に連なる。このとき、図８に示すように、係合突部１４〜１６が挿入されない固定具２１の挿入孔２７ａは、筐体２０の後側板部２０ａに設けられた固定具２１側に突出する膨出部３０により、係合突部１４〜１６が挿入不能に規制されているので、係合突部１４〜１６を挿入孔２４ａ〜２６ａに挿入することが容易である。
【００３９】
係合突部１４〜１６を夫々挿入孔２４ａ〜２６ａに挿入した状態で第１容器１１を下方に移動させると、係合突部１４〜１６は夫々係合孔２４ｂ〜２６ｂと係合し、第１容器１１が筐体２０に固定具２１を介して固定される。
【００４０】
第２容器１１１を固定する際には、図９に示すように、連結孔２１ａ，２１ｃを挿通させるビス１２９ａ，１２９ｂにより固定具２１を筐体１２０に第１姿勢の上下を反転させた第２姿勢に固定する。第２容器１１１の複数の係合突部１１６〜１１８と夫々係合する係合孔２６ｃ〜２８ｃは、挿入孔２６ａ〜２８ａの下方に連なる。このとき、係合突部１１６〜１１８が挿入されない挿入孔２４ａは、筐体１２０の後側板部１２０ａに設けられた固定具２１側に突出する膨出部１３０により、係合突部１１６〜１１８が挿入不能に規制されている。
【００４１】
係合突部１１６〜１１８を夫々挿入孔２６ａ〜２８ａに挿入した状態で第２容器１１１を下方に移動させると、係合突部１１６〜１１８は夫々係合孔２６ｃ〜２８ｃと係合し、第２容器１１１が筐体１２０に固定具２１を介して固定される。
【００４２】
以上説明したように、固定具２１を内蔵機器の配置が異なる給湯装置間で共用することができるので、出荷数が少ない機種であっても固定具２１の製造コストを抑えることができる。また、共用孔２６ａを設けたので挿入孔２４ａ〜２８ａ及び係合孔２４ｂ〜２６ｂ及び係合孔２６ｃ〜２８ｃの配置スペースが縮小すると共に、固定具２１の折曲部２２ａ，２２ｂが抗折力を向上させるので、固定具２１を小さくすることができる。そのため、固定具２１を配置し易くなって、異なる給湯装置間で固定具２１の共用が容易になる。さらに、筐体２０に設けられた膨出部３０によって、第１容器１１の固定に使用されない挿入孔２７ａに係合突部１４〜１６が進入できないように規制しているので、係合突部１４〜１６を正しい挿入孔２４ａ〜２６ａに容易に導いて固定することができる。
【００４３】
次に、上記実施例を部分的に変更する例について説明する。
［１］固定具２１が固定する容器は、中和器に限定されない。例えば、ドレンを貯留するドレンタンクや、加熱された湯水の膨張を吸収する膨張タンク等であってもよい。
［２］挿入孔の数や配置は、上記実施例で示した数や配置に限定されるものではなく、例えば２列に、または分散状に配置してもよく、固定される容器に応じて適宜設定可能である。
［３］その他、当業者であれば、本発明の趣旨を逸脱することなく、前記実施形態に種々の変更を付加した形態で実施可能であり、本発明はそのような変更形態を包含するものである。
【符号の説明】
【００４４】
１    第１の給湯装置
５    第１中和器
１１  第１容器
１４〜１６  係合突部
２０  筐体
２１  固定具
２２ａ，２２ｂ  折曲部
２４ａ〜２８ａ  挿入孔
２４ｂ〜２６ｂ  係合孔
２６ｃ〜２８ｃ  係合孔
２６ａ  共用孔
３０  膨出部
１０１  第２の給湯装置
１０５  第２中和器
１１１  第２容器
１１６〜１１８  係合突部
１２０  筐体
１３０  膨出部
【図１】
2018031493.tif 000003
【図２】
2018031493.tif 000004
【図３】
2018031493.tif 000005
【図４】
2018031493.tif 000006
【図５】
2018031493.tif 000007
【図６】
2018031493.tif 000008
【図７】
2018031493.tif 000009
【図８】
2018031493.tif 000010
【図９】
2018031493.tif 000011